(57)【特許請求の範囲】
【請求項１】
主回路を貫通させた変流器が電流を検出し、該検出電流をＭＰＵがメモリに記憶しているトラッキング電流の波形情報と比較してトラッキング電流であると判断すると前記主回路の開閉接点を開路して遮断するトラッキング対応遮断器において、トラッキング電流を擬似的に発生させるテスト回路を備え、該テスト回路は、回路をオン・オフするためのテストボタンと、前記ＭＰＵの制御により前記メモリに記憶されたテスト回路条件のパルスを発生させるパルス回路と、直列接続した第１接点と限流抵抗を前記変流器に貫通して成る瞬時開閉回路と、前記変流器の出力端間に第２接点と検出抵抗を直列に接続して前記変流器の出力特性を高出力に維持するための維持回路とで構成したことを特徴とするトラッキング対応遮断器。
【発明の詳細な説明】
【０００１】
【発明の属する技術分野】
本発明は、トラッキング電流を検出すると主回路を遮断するトラッキング対応遮断器に関する。
【０００２】
【従来の技術】
一般に電気機器の電源プラグ等の電極間に塵埃等が付着して発生するトラッキング短絡による短絡電流は数Ａ〜２００Ａ程度の非連続な電流であるため、バイメタルや電磁コイルでは瞬時に遮断動作させることができない。そこで図４に示すようにトラッキング対応遮断器は、主回路（図示せず）に貫通させた変流器３２が主回路の電流を検出し、変流器３２の出力電流をＡ／Ｄ変換回路３３によりデジタル変換してＭＰＵ３４に入力し、ＭＰＵ３４がメモリ３５に記憶しているトラッキング電流の波高値及び継続時間等の波形情報と比較し、波高値と継続時間の条件を満たした場合に検出電流がトラッキング電流であると判断し、トリガ回路３６からトリガ信号を出力してトリガ素子３７をオンし、トリガ素子３７のオンによりトリップコイル３８を駆動させて主回路の開閉接点３９を開路するようになっている。
【０００３】
波高値と継続時間は家電製品等の突入電流で不要動作しないように波高値は１００Ａ程度、継続時間は１００ｍｓ程度の設定になっている。
【０００４】
【発明が解決しようとする課題】
しかしながら、波高値１００Ａ程度、継続時間１００ｍｓ程度の非連続な短絡電流を発生させることは容易にできず、従来のトラッキング対応遮断器にはテスト回路がなかった。
【０００５】
そこで上記問題点に鑑み、本発明の目的は、遮断器がトラッキング電流を検出して正常に遮断動作するかどうかを確認することができるトラッキング対応遮断器を提供することである。
【０００６】
【課題を解決するための手段】
上記目的を達成するために、本発明によれば、主回路を貫通させた変流器が電流を検出し、検出電流をＭＰＵがメモリに記憶しているトラッキング電流の波形情報と比較してトラッキング電流であると判断すると主回路の開閉接点を開路して遮断するトラッキング対応遮断器において、トラッキング電流を擬似的に発生させるテスト回路を備え、テスト回路は、回路をオン・オフするためのテストボタンと、ＭＰＵの制御によりメモリに記憶されたテスト回路条件のパルスを発生させるパルス回路と、直列接続した第１接点と限流抵抗を変流器に貫通して成る瞬時開閉回路と、変流器の出力端間に第２接点と検出抵抗を直列に接続して変流器の出力特性を高出力に維持するための維持回路とで構成したことを特徴とする。
【０００７】
【発明の実施の形態】
本発明によれば、主回路を貫通させた変流器が電流を検出し、検出電流をＭＰＵがメモリに記憶しているトラッキング電流の波形情報と比較してトラッキング電流であると判断すると主回路の開閉接点を開路して遮断するトラッキング対応遮断器において、トラッキング電流を擬似的に発生させるテスト回路を備え、テスト回路は、回路をオン・オフするためのテストボタンと、ＭＰＵの制御によりメモリに記憶されたテスト回路条件のパルスを発生させるパルス回路と、直列接続した第１接点と限流抵抗を変流器に貫通して成る瞬時開閉回路と、変流器の出力端間に第２接点と検出抵抗を直列に接続して変流器の出力特性を高出力に維持するための維持回路とで構成したことにより、遮断器がトラッキング電流を検出して正常に遮断動作するかどうかを確認することができる。
【０００８】
【実施例】
本発明に係るトラッキング対応遮断器の一実施例を図１〜図３の添付図面に基づいて説明する。
【０００９】
トラッキング対応遮断器１は、変流器２が主回路（図示せず）の電流を検出し、変流器２の出力電流をＡ／Ｄ変換回路３によりデジタル変換してＭＰＵ４に入力し、ＭＰＵ４がメモリ５に記憶しているトラッキング電流の波高値及び継続時間等の波形情報と比較し、波高値と継続時間の条件を満たした場合に検出電流がトラッキング電流であると判断し、トリガ回路６からトリガ信号を出力してトリガ素子７をオンし、トリガ素子７のオンによりトリップコイル８を駆動させて主回路の開閉接点９を開路するようになっている。
【００１０】
波高値と継続時間は家電製品等の突入電流で不要動作しないように波高値は１００Ａ程度、継続時間は１００ｍｓ程度の設定になっている。
【００１１】
テスト回路は、テスト回路をオン・オフするためのテストボタン１０と、ＭＰＵ４の制御によりメモリ５に記憶されたテスト回路条件のパルスを発生させるパルス回路１１と、直列接続した第１接点Ｃ１と限流抵抗Ｒ１を変流器２に貫通して成る瞬時開閉回路１２と、変流器２の出力端間に第２接点Ｃ２と検出抵抗Ｒ２を直列に接続して変流器２の出力特性を高出力に維持するための維持回路１３とで構成している。
【００１２】
テスト回路の動作について説明すると、まず、テストボタン１０をオンすると信号がＭＰＵ４に入力され、この入力信号によりＭＰＵ４がメモリ５に記憶しているテスト回路条件を起動させ、パルス回路１１から瞬時開閉回路１２と維持回路１３にパルス信号を出力する。パルスの周波数は主回路に流れる電流の電源波形の周波数と異なるように制御され、継続時間はトラッキング電流の判断基準と同じ１００ｍｓ程度に制御される。
【００１３】
瞬時開閉回路１２は、パルス回路１１のパルス信号によって第１接点Ｃ１を開閉させる。これによって電源波形はパルス制御により細かく分断され、擬似トラッキング電流を発生させる。
【００１４】
また、維持回路１３は、パルス回路１１のパルス信号によって瞬時開閉回路１２の第１接点Ｃ１と同時に第２接点Ｃ２を開閉する。このため、変流器２に１００ｍＡの微少電流を流しても維持回路１３の検出抵抗Ｒ２によって１００Ａの検出電圧と同電位にすることができ、瞬時開閉回路１２の限流抵抗Ｒ１の電力負担を小さくすることができる。また、擬似トラッキング電流の継続時間が１００ｍｓを越えても限流抵抗Ｒ１の電力負担は規格値を超えない。
【００１５】
こうして発生させた擬似トラッキング電流の電流波形はメモリに記憶しているトラッキング電流の波形情報と類似するため、変流器２が擬似トラッキング電流を検出するとＭＰＵ４が異常と判断してトリップコイル８を駆動し、主回路を遮断させることで遮断器１の動作確認を行うことができる。
【００１６】
これらの部品を遮断器ケース１４内に収納するために、遮断器ケース１４の長手方向両端に接続端子１５ａ，１５ｂが設けられ、一方の接続端子１５ａの下側にテスト回路を実装したプリント基板１６が配設され、他方の接続端子１５ｂの下側にトリップコイル８が配設され、プリント基板１６とトリップコイル８との間に変流器２が配設され、一方の接続端子１５ａと他方の接続端子１５ｂとの間に遮断器ケース１４の上面から突出したハンドル１７と連動するトグルリンク機構部１８が配設され、トグルリンク機構部１８と一方の接続端子１５ａとの間に開閉接点９が配設され、トグルリンク機構部１８と他方の接続端子１５ｂとの間にバイメタル１９が配設される。
【００１７】
また、遮断器ケース１４のハンドル操作面にテストボタン１０が突出するように配設される。
【００１８】
【発明の効果】
以上説明したように、本発明によれば、主回路を貫通させた変流器が電流を検出し、検出電流をＭＰＵがメモリに記憶しているトラッキング電流の波形情報と比較してトラッキング電流であると判断すると主回路の開閉接点を開路して遮断するトラッキング対応遮断器において、トラッキング電流を擬似的に発生させるテスト回路を備え、テスト回路は、回路をオン・オフするためのテストボタンと、ＭＰＵの制御によりメモリに記憶されたテスト回路条件のパルスを発生させるパルス回路と、直列接続した第１接点と限流抵抗を変流器に貫通して成る瞬時開閉回路と、変流器の出力端間に第２接点と検出抵抗を直列に接続して変流器の出力特性を高出力に維持するための維持回路とで構成したことにより、遮断器がトラッキング電流を検出して正常に遮断動作するかどうかを確認することができるという効果がある。
【図面の簡単な説明】
【図１】  本発明に係るトラッキング対応遮断器の説明図である。
【図２】  本発明に係るトラッキング対応遮断器の縦断面図である。
【図３】  本発明に係るトラッキング対応遮断器の平面図である。
【図４】  従来のトラッキング対応遮断器の説明図である。
【符号の説明】
１    トラッキング対応遮断器
２    変流器
３    Ａ／Ｄ変換回路
４    ＭＰＵ
５    メモリ
６    トリガ回路
７    トリガ素子
８    トリップコイル
９    開閉接点
１０  テストボタン
１１  パルス回路
１２  瞬時開閉回路
１３  維持回路
１４  遮断器ケース
１５  接続端子
１６  プリント基板
１７  ハンドル
１８  トグルリンク機構部
１９  バイメタル
【図１】
0004036317.tif 000002
【図２】
0004036317.tif 000003
【図３】
0004036317.tif 000004
【図４】
0004036317.tif 000005